(57)【特許請求の範囲】
【請求項１】
爪を有しロットを支点としてはさみ型に交差する一対の湾曲状のアームと、アームを着脱自在に取付けてかかり木の任意な高さに持ち上げる為の伸縮ポールと、アームを操作して閉状態とする為のガイドロープを備えた、かかり木を処理する装置であって、
一対のアーム間にはアームを閉状態へと付勢するアーム閉じスプリングとアームの開状態を保持するストッパーを装着し、アームにはコイルスプリング付き落下防止チェーンを取付け、ポールの上部にはコイルスプリング付き落下防止チェーンを挿通して落下防止ピンを装着することによりコイルスプリング付き落下防止チェーンを保持するコイルスプリング付き落下防止チェーン挿通部を具備し、ガイドロープは先端部を二分して一対のアームに固定すると共にストッパーおよび落下防止ピンにも固定した構造とし、
ガイドロープを引くことにより、ストッパーおよび落下防止ピンの装着状態を解除し、一対のアームにてかかり木を把持すると共に、アームから伸縮ポールを引抜くことが可能となるものである、かかり木の処理装置。
【請求項２】
アームと伸縮ポールとの取付け角度を調節する為に、取付け部に角度調節機構を設けたものである請求項１に記載のかかり木の処理装置。
【発明の詳細な説明】
【０００１】
【発明の属する技術分野】
本発明は、保育間伐及び抜倒作業における、小・中径木のかかり木を安全且つ迅速に処理することができることを目的とした、かかり木の処理装置に関するものである。
【０００２】
【従来の技術】
林材業での労働災害が発生するなかで、間伐の小・中径木等のかかり木の処理作業中に発生する災害が増えている。従来、間伐作業におけるかかり木の処理はトラクター等重機で引き落とす処理が一般的であるが、重機を常にそばにおけるというものではなく、本数密度が高かったり地形的に重機の立ち入れができない場合が多い。この為、このかかり木が小・中径木である場合には、かかり木を両手で持って前に押し出したところかかり木が切り株からはずれ、かかり木に手を挟まれて指に骨折等の怪我をする場合や、かかり木を両手で押した時、かかり木が切り株から落下し斜面をずり落ち及び倒れ、そのかかり木の梢端部で体を叩かれて肩間接脱臼の怪我をする場合等、やってはいけない方法で、即ち、直接的に手や体を使用して処理していた為に労働災害が発生したり、元玉切りの際にかかり木が強風にあおられ作業員の頭部を強打するといった災害も発生していた。
【０００３】
このような災害防止対策としての、重機等の利用が出来ない場合の間伐等の小・中径木のかかり木の処理方法としては、牽引ロープをかかり木に巻きつけて人力で引き落とす方法（図１５参照）、木回し等で樹幹を回して処理する方法、チルホール等の牽引具を使用して処理する方法等で行なわれていた。
【０００４】
しかしながら、牽引ロープの場合は、引き落としが容易な小・中径木のかかり木には有効的とも言えるが、直接的処理のため外ずれた時には危険であり、この牽引ロープを引く動作が不安全であった。及び、この牽引ロープをかかり木上部箇所に巻きつけることが出来ずに手の届く範囲内箇所でも下位置に巻きつけていたため、牽引力が弱かった。又、木回し等工具の使用の場合は、かかり木が伐根から外れたような状態では処理が困難であった。又、チルホール等牽引具の使用の場合は、工具が重く持ち運びに大変であったり、取付けに時間がかかる等使用面で問題点があった。加えて、このような従来のかかり木の処理方法では、作業能率が極端に低下するといったような問題点があった。
【０００５】
【発明が解決しようとする課題】
本発明は上記のような背景に着目してなされたものであり、小・中径木のかかり木を安全且つ処理作業が迅速に行なうことができることを目的とした、かかり木の処理装置を提供することを課題とする。
【０００６】
【課題を解決するための手段】
本発明のかかり木の処理装置は、上記のような課題を解決するために、爪を有しロットを支点としてはさみ型に交差する一対の湾曲状のアームと、アームを着脱自在に取付けてかかり木の任意な高さに持ち上げる為の伸縮ポールと、アームを操作して閉状態とする為のガイドロープを備えたものであり、一対のアーム間には、アームを閉状態へと付勢するアーム閉じスプリングと、アームの開状態を保持するストッパーを装着し、アームにはコイルスプリング付き落下防止チェーンを取付け、ポールの上部にはコイルスプリング付き落下防止チェーンを挿通して落下防止ピンを装着することによりコイルスプリング付き落下防止チェーンを保持するコイルスプリング付き落下防止チェーン挿通部を具備し、ガイドロープは先端部を二分して一対のアームに固定すると共にストッパーおよび落下防止ピンにも固定した構造とし、ガイドロープを引くことにより、ストッパーおよび落下防止ピンの装着状態を解除し、一対のアームにてかかり木を把持すると共に、アームから伸縮ポールを引抜くことが可能となるものである。
【０００７】
【発明の実施の形態】
本発明の一実施の形態を以下、図面に基づいて説明する。
図１は本発明の一実施の形態の概要を示す説明図であり、本かかり木の処理装置を、かかり木の適宜高位置に持ち上げる前に、セットした状態を示すものである。
ロット１を支点としてはさみ型に交差可能な爪２ａ，３ａを有したアーム２，３各々の後端にカナビラ４，４’を取付ける。アーム２上面には、ストッパー保持部２ｂを形成する。このアーム２後部にアーム閉じスプリング５の一端を係止しておく為のスプリング止め６を取付け、このスプリング止め６にスプリング止めピン７を引き抜き可能にスプリング止めピン用コイルスプリング８を介してアーム２に取り付ける。
【０００８】
従って、このスプリング止めピン７をスプリング止め６から引き抜いた場合には、スプリング止めピン７がスプリング止めピン用コイルスプリング８によりアーム２に連結しているので失うことがない。アーム３上面後部には、アーム閉じスプリング５の一端を固定する。
【０００９】
又、このアーム２，３の裏側においては、図２のように、一方のアーム２には、後述する伸縮ポール１６を着脱自在に取り付ける為のポール取付け部９を設けると共に、コイルスプリング付き落下防止チェーン１０を取り付ける。他方のアーム３には、ストッパー押さえボルト１１を取り付ける。
【００１０】
次に、アーム２，３を作動させるガイドロープ１２においては、図２のように、アーム２、３に取付けたカラビナ４，４’間をガイドロープ１２が通っており、このガイドロープ１２に適宜状態で落下防止ピン１３を取り付ける。また、ストッパー１４を、ストッパー解除ロープ１５を介して落下防止ピン１３に繋ぐ構成とする。
【００１１】
また、伸縮ポール１６においては、伸縮ポール１６上部にコイルスプリング付き落下防止チェーン挿通部１７を固定バンド１８で取り付ける。
【００１２】
即ち、この構成によれば、事前に、スプリング止めピン７及びスプリング止め６でアーム閉じスプリング５の他端を係止した後、アーム２，３を開くと共に、ストッパー１４をアーム２のストッパー保持部２ａとストッパー押さえボルト１１で挟む状態に保持する。
この場合、ストッパー１４はアーム閉じスプリング５の付勢力により挟まれて、アーム２，３の開き具合が一定の開状態となり、一時的且つ一定状態に保持される。加えて、コイルスプリング付き落下防止チェーン挿通部１７に挿通させるコイルスプリング付き落下防止チェーン１０に、落下防止ピン１３を差し込むことで、落下防止ピン１３がコイルスプリング付き落下防止チェーン挿通部１７下端でコイルスプリング付き落下防止チェーン１０に保持状態となる。
【００１３】
そして、図３のように、このアーム２，３を伸縮ポール１６でかかり木の任意高位置の把持する箇所へと持ち上げ、位置を決めてから、図４のように、ガイドロープ１２を引くと、ストッパー１４が外れ、また、落下防止ピン１３がコイルスプリング付き落下防止チェーン１０から外れて解除になる。すると、アーム閉じスプリング５の緊張が緩み、アーム２，３は閉状態となって、かかり木を把持する。
次いで、伸縮ポール１６をポール取付け部９から引き抜くように引っ張ると、伸縮ポール１６はポール取付け部９から抜けると共に、コイルスプリング付き落下防止チェーン１０がコイルスプリング付き落下防止チェーン挿通部１７から抜き出るように構成したものである。
【００１４】
又、本かかり木の処理装置の他の実施の形態として、図５（アーム２，３にリブ１９を設けたことを示すものであり、アーム２，３の交差時における一部を省略し、一部の断面を示す説明図である）のように、アーム２，３にリブ１９を設けることもよい。そうすれば、アーム２，３の強度を増すことができる。尚、このリブの形状をＬ型とすることもよい。
【００１５】
更に、本かかり木の処理装置の他の実施の形態として、アーム２，３のかかり木に対する角度を調節可能とする為に、公知の適宜の技術を用いて角度調節可能とすればよい。例えば図６のように、アーム２，３と伸縮ポール１６との角度を調節する為に、ポール取付け部９に左右方向に角度調節可能な角度調節機構２０を設け、伸縮ポール１６を右方向又は左方向へと角度を調節する。又はアーム２，３の角度を調節することで伸縮ポール１６との角度を調節可能な構成とすることが可能である。
【００１６】
即ち、図７は、前記図６で示した角度調節機構２０の一実施例であり、二分割構成のポール取付け部２１ａ，２１ｂをボルト２２ナット２３等で一体化させ、ボルト２２を支点として、ポール取付け部２１を右方向又は左方向へ調節することにより、アーム２，３の角度を調節することを可能な構成としたものである。尚、本発明のかかり木の処理装置における、角度調節機構の構造は前記実施例に限定されるものではない。
【００１７】
また、このような角度調節機構の他の実施例として、前後左右等全方向に角度調節可能な構成とすることも可能である。
【００１８】
即ち、アーム２，３のかかり木に対する位置決めにおいて、傾斜状態のかかり木を把持する際にアーム２，３の角度を変える場合には、図８のように、アーム２，３の開状態のまま、かかり木にあてた状態で伸縮ポール１６を左右方向へ（又は前後左右全方向）へ傾けて調節し、更にアーム２，３の開口状態のまま、かかり木にあて直すことにより、容易にアーム２，３の角度調節を行なうことができるように構成したものである。この角度調節を行なう際において、かかり木の高位置に持ち上げる前に予め、角度調節を行なうことができることは当然である。
【００１９】
又、アーム２，３が図９のように、傾斜状態のかかり木の把持を終えたら、図１０のように、ガイドロープを引っ張ると、上述のガイドロープ操作をした場合と同様の作用が得られる。
【００２０】
従って、本かかり木の処理装置を用いると、（図１１の、かかり木へのセット状態を示す説明図を参照して）アーム２，３を、かかり木の高所箇所に取り付けることが可能であるから、容易にかかり木を引き落とすことができるものである。図１２は、図１１のセット状態からガイドロープ１２を引いて落下防止ピン１３やストッパー１４が解除すると共に、アーム２，３がかかり木を把持しようとする状態を拡大したものである。
【００２１】
また、本かかり木の処理装置の更に他の実施例として、図１３のように、ガイドロープ１２下端に滑車２４を取り付けると共に、樹木に取り付ける為の滑車２５を備え、この滑車複数に他のガイドロープ２６をセットする構成とすることも可能である。このようにすると、引き落としの困難なかかり木を、より容易に引き落とすことができ、チルホールや重機の使用に匹敵する効果が得られる優れたものである。尚、図１４は、図１３の取付け状態の拡大図である。
【００２２】
【発明の効果】
本発明のかかり木の処理装置は以上説明したように、アーム２，３をかかり木にセットする時には、アーム閉じスプリング５の付勢力で仮保持されるストッパー１４により、不用心にアーム２，３が閉じることを防止することができる。
コイルスプリング付き落下防止チェーン１０をコイルスプリング付き落下防止チェーン挿通部１７に挿通させて落下防止ピン１３で保持する構成とすることにより、ストッパー１４やアーム２，３の脱落を防止することができる。
そして、かかり木の把持を確実にする為、かかり木の傾きに応じてアーム２，３の角度を調整できる構成としたことは独創的であり、従来の諸工具に比べて優位点が多く作業能率も向上する効果を奏するものである。
【００２３】
伸縮ポール１６を使用してアーム２，３を、かかり木の高い位置に取付けできることで、牽引力も増し、引き落としが容易にできる。又、アーム閉じスプリング５の一方端はアーム３に固定され他方端は仮固定できる構成だから、伸縮ポール１６の撤去時や、かかり木を引き落とした後の処理が行ないやすい。
又、従来のチルホール等と比較して装置本体は軽く製作できることに加えて、本装置の取付け及び撤収が短時間で終えることが可能であるから、作業能率向上及び安全な作業を行なうことができる効果を奏するものである。更に、太さの異なる小中径木のかかり木でも、太さに応じてアーム２，３が交差するので、あらゆる太さの樹木に適用できる優れたものである。
【図面の簡単な説明】
【図１】本発明の実施例を示す斜視図である。
【図２】図１に示す実施例の裏側から見た一部分解の斜視図である。
【図３】図１に示す実施例の使用状態を示す斜視図である。
【図４】図１に示す実施例の使用状態を示す斜視図である。
【図５】本発明の他の実施の形態を示す一部断面の部分斜視図である。
【図６】本発明の別の実施例を示す裏側から見た一部分解の斜視図である。
【図７】図６に示す実施例の角度調節機構の詳細を示す分解斜視図である。
【図８】図６に示す実施例の使用状態を示す斜視図である。
【図９】図６に示す実施例の使用状態を示す斜視図である。
【図１０】図６に示す実施例の使用状態を示す斜視図である。
【図１１】本発明のかかり木の処理装置の使用状態を示す概略図である。
【図１２】図９に示す使用状態を遠方から見た説明図である。
【図１３】本発明のかかり木の処理装置の使用状態を示す概略図である。
【図１４】かかり木が右側に傾いている場合の使用状態を示す拡大図である。
【図１５】従来のかかり木の処理方法の一例を示す参考図である。
【符号の説明】
１‥‥‥‥‥‥‥ロット
２，３‥‥‥‥‥アーム
２ａ，３ｂ‥‥‥爪
２ｂ‥‥‥‥‥‥ストッパー保持部
４，４’‥‥‥‥カラビナ
５‥‥‥‥‥‥‥アーム閉じスプリング
６‥‥‥‥‥‥‥スプリング止め
７‥‥‥‥‥‥‥スプリング止めピン
８‥‥‥‥‥‥‥スプリング止めピン用コイルスプリング
９，２１‥‥‥‥ポール取付け部
１０‥‥‥‥‥‥コイルスプリング付き落下防止チェーン
１１‥‥‥‥‥‥ストッパー押さえボルト
１２，２６‥‥‥ガイドロープ
１３‥‥‥‥‥‥落下防止ピン
１４‥‥‥‥‥‥ストッパー
１５‥‥‥‥‥‥ストッパー解除ロープ
１６‥‥‥‥‥‥伸縮ポール
１７‥‥‥‥‥‥コイルスプリング付き落下防止チェーン挿通部
１８‥‥‥‥‥‥固定バンド
１９‥‥‥‥‥‥リブ
２０‥‥‥‥‥‥角度調節機構
２２‥‥‥‥‥‥ボルト
２３‥‥‥‥‥‥ナット
２４，２５‥‥‥滑車
【図１】
0004378558.tif 000002
【図２】
0004378558.tif 000003
【図３】
0004378558.tif 000004
【図４】
0004378558.tif 000005
【図５】
0004378558.tif 000006
【図６】
0004378558.tif 000007
【図７】
0004378558.tif 000008
【図８】
0004378558.tif 000009
【図９】
0004378558.tif 000010
【図１０】
0004378558.tif 000011
【図１１】
0004378558.tif 000012
【図１２】
0004378558.tif 000013
【図１３】
0004378558.tif 000014
【図１４】
0004378558.tif 000015
【図１５】
0004378558.tif 000016